(57)【要約】      （修正有）【課題】間仕切り装置におけるパネルの表面から大きく突出せず、間仕切り装置の外観を向上させることができる安定脚を提供する。【解決手段】安定脚１は、床面側に取付ける水平片４と間仕切り装置側に取付ける垂直片５とで本体２を構成し、本体２にはリブ３を挿入するための穴を形成し、リブ３を固定している。【選択図】図１
0003197797.tif 000002
【実用新案登録請求の範囲】
【請求項１】
間仕切り装置が転倒しないように支える安定脚において、該安定脚は床面側に取付ける水平片と、間仕切り装置側に取付ける垂直片とで本体を構成し、本体にはリブを挿入するための穴を形成し、リブを固定したことを特徴とする間仕切り装置の安定脚。
【請求項２】
上記本体に形成した穴は、水平片から垂直片に連続していることを特徴とする請求項１記載の間仕切り装置の安定脚。
【考案の詳細な説明】
【技術分野】
【０００１】
本考案は、室内で使用されるローパーティションや衝立に代表される間仕切り装置が、転倒しないように下端部に取付ける安定脚に関する。
【背景技術】
【０００２】
オフィス等の執務室内で使用される間仕切り装置として、ローパーティションや衝立が広く知られているが、この間仕切り装置においては床面にパネルを起立させて使用する。したがって、天井に固定をしないで間仕切り装置を自立させているために、何らかの力がパネル面に加わった時には揺れたり転倒したりする虞がある。そこで、間仕切り装置の揺れや転倒を防止する為に、パネルの下端部に安定脚を取付けている。
【０００３】
図４は間仕切りパネルを支持した従来の安定脚の形態を示している。安定脚（イ）はＬ形形状とし、間仕切りパネル（ロ）の下端部に取付けるといった技術が最も一般的に知られている。
ところで、アジャスター（ハ）は間仕切りパネル（ロ）の両サイドの下端に螺合しており、アジャスター（ハ）のボルトを回すことで間仕切りパネル（ロ）の高さを調整している。高さを調整したならば、床面（ニ）に上記安定脚（イ）を当接してネジ締めで固定する。しかし、Ｌ形形状の安定脚（ニ）の場合は、間仕切りパネル（ロ）の表面から大きく突出してしまうので、通行する場合の妨げになり危険であるといった問題点があった。また、間仕切りパネル（ロ）から大きく突出している形状が、間仕切り装置全体の外観を悪くしているといった課題も残されていた。
【０００４】
例えば、特開平１１−２４１４４１「折り畳みパネルの補助脚」のように、パネル材同士の連結の境目の下端部の縦長の隙間に下方から挿入しうる板材と、この板材の両端部に固着され、かつ前記パネル材から離れる方向に突出する１対の脚と、これらの脚の前記板材側からそれぞれ上方へ突出し、かつ前記パネル材を挟持する１対の支持材とで構成した補助脚が知られている。しかし、この補助脚はパネル材を安定させるために、パネル面から離れる方向へ脚が大きく突出する構造となってしまう。
【０００５】
また、実開平６−３２５１２「ローパーティションの脚板及び脚構造」にも、概略三角形を成した脚板にプレス成形されたボスを設け、このボスの中央の孔にアジャスターボルトを螺合してローパーティションの支柱に取付けた構成が知られている。この技術においても、脚板の面で床を受けているため、床面の不陸が一定でない場合は脚板がガタついてしまう。
【特許文献１】特開平１１−２４１４４１
【特許文献２】実開平６−３２５１２
【考案の開示】
【考案が解決しようとする課題】
【０００６】
このように、従来の間仕切り装置の安定脚には上記のごとき問題がある。本考案が解決しようとする課題はこれら問題点であり、床面に安定して取付けることが出来、さらには通行の邪魔にならない間仕切り装置の安定脚を提供する。
【課題を解決するための手段】
【０００７】
本考案の間仕切り装置の安定脚は床面側に取付ける水平片と、間仕切り装置側に取付ける垂直片とで本体を構成し、本体にはリブを挿入するための穴を形成し、リブを固定したことを特徴としている。そして、本体に形成した穴は水平片から垂直片に連続している。この構成にすることで、本体の水平片を垂直片の約４分の１の寸法に設定することが出来るため、デザイン性に優れたものでありながら、強度が高くて安定して取付けることが可能となる。
【０００８】
また、上記リブは安定脚における本体の強度を確保し、より安定して設置できるようにするための部材であり、上記本体の穴に嵌って溶接にて固定される。よって、安定脚の固定状態が通路側に露出することがない。従って、間仕切り装置が複数配置された場合であっても、間仕切り装置が揺れることなく安定して設置できる。
【考案の効果】
【０００９】
本考案の間仕切り装置の安定脚は、間仕切り装置におけるパネルの表面から大きく突出していない為、間仕切り装置の外観を向上させることができる。そして、安定脚本体の水平片は通路に大きくはみ出していないので、歩行の際に邪魔になることがない。
また、本体に形成した穴にリブを嵌めて固定している為に、安定脚の強度をさらに確保し、間仕切り装置を安定して起立することが出来る。その上、間仕切り装置のパネル面に沿った形で什器等を設置したい場合は、安定脚の突出を最小限としているために安定脚を考慮することなく什器を設置することが可能となる。
したがって、間仕切り装置のパネル面と什器等の間に無駄な空間がなくなるため、適切なレイアウトを構成することができる。
【図面の簡単な説明】
【００１０】
【図１】安定脚の斜視図
【図２】安定脚の分解斜視図
【図３】間仕切り装置に安定脚を取付けた状態の断面図
【図４】従来の安定脚における断面図
【考案を実施するための形態】
【００１１】
図１は間仕切り装置に取付ける本考案に係る安定脚の実施例で斜視図を示している。同図の１は安定脚、２は本体、３はリブを表しており、リブ３は本体２に形成した穴（図示なし）に嵌って固定されている。この安定脚１は、従来の基本構造と同じＬ形であり、鋼材を折り曲げて加工している。
また、本体２は水平片４と垂直片５から構成されており、水平片４は垂直片５の長さに対して約４分の１程度の寸法に設定されている。すなわち、垂直片５よりも短く成っている。なお、本体２は水平片４から垂直片５にかけて傾斜部を有しているが、直角に形成してもよい。
ここで、間仕切り装置を安定して起立するために、安定脚の材質は鋼材が望ましいが、一定の強度を確保できれば材質に関しては限定しない。
【００１２】
図２は安定脚１の分解斜視図であり、それぞれ本体２とリブ３を表している。水平片４には床面に固定するための取付穴６が形成され、垂直片５には間仕切り装置に取付けるための長穴７が上下方向に延びて形成されている。さらに、リブ３は鋼材を所定形状に切断して製作したものであり、横片８と縦片９から構成されている。本体２の水平片４から垂直片５にかけては、リブ３の一部が嵌るための穴１０が形成されている。
そして、この穴１０にリブ３を本体２の背面側から嵌め込み、溶接にて固定する。もちろん、強固に固定できれば溶接以外の手段であってもよい。さらに、上記穴１０を水平片４あるいは垂直片５にのみ設けてリブ３を嵌めて固定する場合もある。
こうして、リブ３を本体２の背面から嵌め込み固定することで、通路側に溶接跡などの固定状態が露出しないようにしている。すなわち、通路側から見る安定脚の意匠を向上することが出来る。
【００１３】
図３は間仕切り装置に安定脚１を取付けた状態の断面図を表しており、（ａ）は
横断面図、（ｂ）は縦断面図を示している。この間仕切り装置は、ローパーティションや衝立に代表されるように自立タイプのものであり、同図の１１は間仕切りパネル、１２は巾木、１３はアジャスター、１４は柱、１５は柱カバーを示している。間仕切りパネル１１は、柱１４を介して連結され、この間仕切りパネル１１は柱１４との間に配置しているアジャスター１３によって支持されている。
そして、アジャスター１３は調整ボルト１６で高さの調整を行いながら床面１７に設置されることになる。さらに、安定脚１は垂直片５を間仕切り装置の柱１４にネジを締め込んで取付け、水平片４は床面１７に同じくネジを締め込んで取付ける。
【００１４】
安定脚１は本体２とリブ３を強固に固定して構成したものであるため、該安定脚の強度は高く、ネジを締め込んで取付けた後も安定して床面１７に設置することができる。そして、安定脚１の水平片４は従来のＬ形形状よりも短くなっているため、通路に大きくはみ出すことがなく、歩行の際に邪魔になることがない。
また、間仕切り装置に什器を沿わせて設置したい場合であっても、水平片４が短くなっているために間仕切り装置のパネル面と什器の間の空間は最小限となる。さらに、図３の形態は間仕切り装置の片側のみに安定脚１が取付けられた状態であるが、間仕切り装置の両面に取付けることも可能である。
【符号の説明】
【００１５】
１ 安定脚
２ 本体
３ リブ
４ 水平片
５ 垂直片
６ 取付穴
７ 長穴
８ 横片
９ 縦片
10 穴
11 間仕切りパネル
12 巾木
13 アジャスター
14 柱
15 柱カバー
16 調整ボルト
17 床面
【図３】
0003197797.tif 000003
【図４】
0003197797.tif 000004
【図１】
0003197797.tif 000005
【図２】
0003197797.tif 000006